(57)【要約】      （修正有）【課題】魚釣りにおいて、浮き下を深くして固定浮きで釣る場合に、手網で簡単に掬えるようにする浮き止めを兼ねた水中浮きを提供する。【解決手段】本体１の両端を貫通するように糸穴２を形成し、本体１に糸穴２と空間的に連通する切り目４を形成した。糸穴２に通した道糸やハリスなどの糸を切り目４に鋏着することで本体１を糸に固定する。糸を両端部から引くことによって、糸が切り目４から外れ、本体１が遊動状態となる。【選択図】図１
0003185041.tif 000002
【実用新案登録請求の範囲】
【請求項１】
本体「図１」の両方に、糸穴「図４」を施し糸穴を介して、本体に施こされた鋏着体「図２」の切り目「図３」に道糸やハリス「図７」等を鋏着し、本体を固定し、又糸穴から出された、道糸やハリス等は、両方から引く事によって、道糸等が挟着体から外れ、本体が遊動になるような、構造の浮き止めを兼ねた水中浮き。
【請求項２】
「図８」は上記と同じ効果を持つ本体である。よりシンプルにす早く鋏着する事が出来る。上記に述べた、片方の糸穴が、金具「図９」が施してあり、鋏着された、道糸なども金具の糸穴から、両方から、引く事により、鋏着された道糸なども、遊動になる。
この様な構造の、浮き止めを兼ねた水中浮き。
【考案の詳細な説明】
【技術分野】０１
従来２尋半以上の固定浮きで魚をかけた場合、魚を手網で、すくうのが困難である。
０２
本考案の、浮き止め兼水中浮きを使用すると、魚が掛かると、本体が「図１」が、遊動になり、浮きも遊動になり、たやすく手網で魚をすくえる。
０３
本体には鋏着体「図２」が施してあり、鋏着体には、切目「３」が施してあり、切り目に、道糸やハリス等を、鋏着させる事により、浮き等を固着し固定浮きとして使える。
０４
本体には、糸穴「図４」が施してあり、鋏着道糸等は、糸穴から通された道糸等を両方から、引く事により、本体は遊道になり、取りつけられた、浮き等も遊道になる。
０５
本体には、Ｃ形「５」のバネが取り着けてあり、これにより、鋏着力を強め本体を安定する事が出来る。
０６
本体には穴「図６」が設けられており、これに依り本体を早く沈め、かつ余分な水の抵抗を塞ぐ事が出来る。
０７
本体を浮き等の、下方に取りつけると、水中うきになる。この場合は特に鋏着する必要はない、固定する場合は、糸穴に、つま楊枝等を刺しこめば良い。
０８
本体にハリスを挟着すると、水中浮きを兼ねた、鉛としても使える、鋏着体が、弾性なので、ハリスに傷等をつけずに便利である。
０９
「図８」は、本体の片方に、ヘアピン形の金具が施してあり、中央の穴より、道糸等を取り出して、鋏着体に鋏着させ、中央の穴に戻して使用する。作用は、上記と同じである。ヘアピン形の金具は、プラスチツク等でも何でも良い。
位上、の事により、本体は、浮き止めを兼ねた水中浮きとなる。
【符合の説明】
図１は本体
図２は鋏着体
図３は切り目
図４は糸穴
図５はバネ
図６は穴
図７は道糸等
図８は、より簡単に早く道糸等を鋏着体に鋏着させる本体である。
【図１】
0003185041.tif 000003
【図８】
0003185041.tif 000004
【手続補正書】
【提出日】平成25年1月17日(2013.1.17)
【手続補正１】
【補正対象書類名】実用新案登録請求の範囲
【補正対象項目名】全文
【補正方法】変更
【補正の内容】
【実用新案登録請求の範囲】
【請求項１】
本体（１）の両端を貫通するように糸穴（２）を形成し前記本体（１）に前期糸穴（２）を空間的に連通する鋏着体（３）を形成した、浮き止めを兼ねた水中浮きであつて、前記鋏着体（４）に前記糸穴（２）に通した、道糸やハリスなどの糸を挟着することで、前期本体（１）を前記糸穴（２）に固定し、前記を両端部から引くことによつて、前記糸が前記鋏着体（３）から外れ、前記本体（１）が遊動状態になることを特徴とする、浮き止めを兼ねた水中浮き。
【請求項２】
前記本体（１）の１端に前記糸を取り出すための金具を取りつけたことを、特徴とする請求項１記載の浮き止めを兼ねた水中浮き。
【手続補正２】
【補正対象書類名】明細書
【補正対象項目名】全文
【補正方法】変更
【補正の内容】
【考案の詳細な説明】
【技術分野】
【０００１】本考案は魚釣りにおいて、浮き下を深くして、固定浮きで、釣る場合手網で簡単に掬えることとする、構造に係わる。【０００２】従来魚釣りにおいて、浮き下を２尋位上の固定浮きで魚を掛けた場合、釣り竿は上にあげて手網は下方の水中に向けて魚を掬うことになるが、これでは魚が掬いづらく、長い手網が必要になるが、長い手網は重くて片手では、大変掬いづい、これ等を解消するための、考案である。【０００３】従来黒檀やプラスチック等の水中浮き等あるが、これ等は、撒き餌と同調し浮きを流すための、単体であり、魚が掛かった状態でも、浮きを移動させるための道具ではない。
【本考案が解決しようとする課題】
【０００４】本考案では２尋位上の固定浮きで、魚を掛けた場合浮き止めを兼ねた水中浮き、つまり本体（１）を用いて魚を掛けた場合本体（１）が固定から遊動になる構造であり、短い手網でもたやすく掬える便利な道具である。
【０００５】本考案によれば、浮きの直下に本体（１）を取付ければ、固定浮きとなり、魚が掛かれば本体（１）が移動し遊動になり、上部に取りつけられた浮きも遊動になり簡単に魚が掬える。
【０００６】又、本体（１）を浮きより離して下方の道糸やハリス等に取りつければ、水中浮きとして使えて便利である。
【０００７】本体（１）を固定から遊動にするには、２つの案が考えられる。
【考案１】
【０００８】空どうされた本体（１）の片方には、糸あな（２）が設けてあり、その片方には弾性体（３）が取りつけられるように凹状の切りこみが施してある。
【０００９】前記本体（１）の凹状に弾性体（３）を取りつける。
【００１０】前記弾性体（３）には、道糸などを挟着させるために切り目（４）が施してある。
【００１１】前記本体（１）のもう片方には、脱着自在の糸穴（２）［以降キャップと称する］が設けてある。
【００１２】また、前記本体（１）にはバネ（５）が取りつけてある。
これによって、鋏着力を強め前記本体（１）を早く沈め、前記本体（１）を安定することができる。
【００１３】前記本体（１）には複数の穴（６）が施してある、これは前記本体（１）を早く沈め、適度に波に乗せるために施してある。
【使用例】
【００１４】この様な構造の浮き止めを兼ねた水中浮きを使用するには、
【００１５】前記本体（１）より前記キャップ（２）を取り外し前記本体（１）の前記糸穴（２）より、道糸を貫通し取りはずした、前記キャップ（２）に道糸を通し、空間的に連結された、道糸を取りだし、
【００１６】取りだされた道糸を前記弾性体（３）に施こされた前記切り目（４）に道糸を鋏着し、再度前記キャップ（２）を前記本体（１）に取りつける。
【００１７】この事により、本体（１）は道糸に鋏着・固定となり上部に取りつけられた、浮きなども固定浮きとなる。
【００１８】前記糸穴（２）と前記キャップ（２）を貫通された道糸を前記本体（１）の両端から両方に引くことにより、
【００１９】前記本体（１）は前記切り目（４）から外れ、本体（１）は遊動となり、上部に取り付けられた浮きも遊動となり、故に短い手網でも簡単に魚が掬える。
【考案２】
【００２０】この考案では考案１の前記キヤップ（糸穴）以外は前記本体（１）も前記本体（１）の糸穴も他、弾性体、切り目、バネ、本体の穴も考案１と全く同じである。
本考案では、前記キャップ（糸穴２）の代わりにヘアピン状の糸穴（２）が形成されている。この様な構造の本体（１）を使用するには、本体（１）の糸穴より道糸を貫通させた後、弾性体（３）の切り目（４）に道糸を鋏着しヘアピンの糸穴（２）に差し込めると考案１と同じ効果が得られる。
このことによって、考案１のキャップを脱着する手間が省けより早く道糸に本体（１）を取りつけることが出来る。
【図面の簡単な説明】
【００２１】
【図１】は本考案１の正面図
【図２】は本考案１の展開図
【図３】は本考案１の本体（１）の取り付け図
【図４】は考案２の正面図
【図５】は考案２の展開図
【図６】は考案２の本体の取り付け図
【符合の説明】
【００２２】１・・・・本体
２・・・・糸穴及び（キャップの糸穴）
３・・・・弾性体
４・・・・切り目（鋏着体）
５・・・・バネ
６・・・・本体の穴
１・・・・本体（１）
２・・・・本体（１）の糸穴、及びヘアピン状の糸穴
３・・・・弾性体
４・・・・切り目（鋏着体）
５・・・・バネ
６・・・・本体（１）の穴
【手続補正３】
【補正対象書類名】図面
【補正対象項目名】全図
【補正方法】変更
【補正の内容】
【図１】
0003185041.tif 000005
【図２】
0003185041.tif 000006
【図３】
0003185041.tif 000007
【図４】
0003185041.tif 000008
【図５】
0003185041.tif 000009
【図６】
0003185041.tif 000010
【手続補正書】
【提出日】平成25年5月1日(2013.5.1)
【手続補正１】
【補正対象書類名】実用新案登録請求の範囲
【補正対象項目名】全文
【補正方法】変更
【補正の内容】
【実用新案登録請求の範囲】
【請求項１】
本体の両端を貫通するように糸穴を形成し、前記本体に前記糸穴と空間的に連通する鋏着体を形成した浮き止めを兼ねた水中浮きであって、前記鋏着体に脱着自在な糸穴によって、この糸穴にに通した道糸やハリスなどの糸を鋏着することで前記本体を前記糸に固定し。前記糸を両端部から引くことによって、前記糸が鋏着体から外れ、前記本体が遊動状態となることを特徴とする浮き止めを兼ねた水中浮き。
【請求項２】
前記本体の一端に、前記糸をとり出すための金具又プラスチックを取り付けたことを特徴とする請求項１記載の浮き止めを兼ねた水中浮き。